(57)【要約】      （修正有）【課題】物品を収納する際にスムーズにその姿勢が直立して収納の妨げとならない包装箱用仕切り板の提供。【解決手段】包装箱内の空間を横断面で複数に仕切る１枚の板状の仕切り板であって、その下辺部１１には包装箱の底部と当接する突出部１４を形成した。【選択図】図１
0003225461.tif 000002
【実用新案登録請求の範囲】
【請求項１】
包装箱内の空間を横断面で複数に仕切る１枚の板状の仕切り板であって、その下辺部には包装箱の底部と当接する突出部を形成した包装箱用仕切り板。
【請求項２】
前記突出部において、包装箱の底部と当接する部分が前記包装箱用仕切り板の横幅の５０％以下であることを特徴とする請求項１に記載の包装箱用仕切り板。
【請求項３】
その横幅が包装箱の横幅と略同一に形成されていることを特徴とする請求項１または２に記載の包装箱用仕切り板。
【請求項４】
上辺部にさらに突出部を形成したことを特徴とする請求項１ないし３のいずれか１項に記載の包装箱用仕切り板。  
【請求項５】
下辺部に対して前記突出部が１つ形成されていることを特徴とする請求項１ないし４のいずれか１項に記載の包装箱用仕切り板。
【請求項６】
前記突出部はその先端部において、包装箱の底部に点接触もしくは線接触することを特徴とする請求項１ないし５のいずれか１項に記載の包装箱用仕切り板。
【考案の詳細な説明】
【技術分野】
【０００１】
本考案は、包装箱内において２つ以上の物品を収納した際に、物品同士が接触して傷が付かないように物品の間に配設される包装箱用仕切り板に関する。
【背景技術】
【０００２】
従来、包装箱内において収納される２つ以上の物品の間に配置される包装箱用仕切り板として、それ自体で自立するように２枚以上の仕切り板同士を縦横に組み合わせたものや（特許文献１、２）、または１枚の仕切り板を略凸状に折り曲げたもの（特許文献３）などが知られている。
【０００３】
一方、収納箱内を２つの空間に仕切るために、１枚の仕切り板を単に物品の間に挿し込んで直立させるものもあるが、この方法の場合、以下のような問題があった。
【０００４】
すなわち、このように単に１枚の仕切り板で形成されている場合、仕切り板自体が自立することがないため、収納された物品に挟持され、もしくは、寄り掛かった状態となる。従って、物品を包装箱に収納する際には、仕切り板の一方の側に物品が入れられ、その後、反対側にも物品が入れられるため、仕切り板は先に収納された物品から片側のみ支えられて不安定な状態となっている。
【０００５】
そして、図３（ａ）に示すように、先に収納された物品に仕切り板が寄り掛かって斜めの状態になっていると、その状態のまま残りの物品を包装箱内に入れようとしても物品が仕切り板の上に載る形となってしまうため、仕切り板の姿勢を直立に直さなければ物品を収納することができなかった。
【０００６】
このように、従来は、梱包中に傾いてしまった仕切り板の姿勢を直立状態に直す必要があり、大量の商品を梱包する工程においてこのように仕切り板の姿勢を手作業でひとつひとつ直すのは非常に煩雑であった。
【先行技術文献】
【特許文献】
【０００７】
【特許文献１】実用新案登録第３１６４９２２号
【特許文献２】実公平３−４０７３５
【特許文献３】特開２００４−１０１６３
【考案の概要】
【考案が解決しようとする課題】
【０００８】
そこで本考案は、従来の包装箱用仕切り板のかかる欠点を克服し、物品を収納する際にスムーズにその姿勢が直立して収納の妨げとならない包装箱用仕切り板の提供を課題とするものである。
【課題を解決するための手段】
【０００９】
本考案は、上記課題を解決するものであり、包装箱内の空間を横断面で複数に仕切る１枚の板状の仕切り板であって、その下辺部には包装箱の底部と当接する突出部を形成した包装箱用仕切り板である。  
【考案の効果】
【００１０】
本考案にかかる包装箱用仕切り板は、下辺部に設けられた突出部が包装箱の底部と当接することにより、仕切り板と包装箱の底部との間に摩擦による抵抗が生じにくく、これにより、梱包中に仕切り板が斜めになってしまっても、残りの物品を収納することにより仕切り板を直立状態に戻すことができる。
【図面の簡単な説明】
【００１１】
【図１】本考案に係る包装箱用仕切り板の正面図。
【図２】本考案に係る包装箱用仕切り板を包装箱内に収納した状態を示す図。
【図３】（ａ）本考案に係る包装箱用仕切り板を備えた包装箱内に商品を収納する作業の一過程を示す断面図、（ｂ）本考案に係る包装箱用仕切り板を備えた包装箱内に商品を収納する作業の一過程を示す断面図。
【図４】（ａ）本考案に係る包装箱用仕切り板の異なる実施態様の正面図、（ｂ）本考案に係る包装箱用仕切り板の異なる実施態様の正面図、（ｃ）本考案に係る包装箱用仕切り板の異なる実施態様の正面図、（ｄ）本考案に係る包装箱用仕切り板の異なる実施態様の正面図、（ｅ）本考案に係る包装箱用仕切り板の異なる実施態様の正面図。（ｆ）本考案に係る包装箱用仕切り板の異なる実施態様の正面図、（ｇ）本考案に係る包装箱用仕切り板の異なる実施態様の正面図、（ｈ）本考案に係る包装箱用仕切り板の異なる実施態様の正面図、（ｉ）本考案に係る包装箱用仕切り板の異なる実施態様の正面図。
【考案を実施するための形態】
【００１２】
以下、本考案の包装箱用仕切り板の実施態様を、図面に基づいて具体的に説明する。なお、本考案はこれら実施態様に何ら制約されるものではない。
【００１３】
図１は、本考案に係る包装箱用仕切り板１の正面図である。図に示すように、本実施態様の包装箱用仕切り板１は、１枚の板材に形成され、その下辺部１１には、中央が下方へ略三角形状に突出する突出部１４が設けられている。
【００１４】
また、本実施態様の包装箱用仕切り板１の上辺部１２には、下辺部１１と上下対称となるように、中央が上方に略三角形状に突出する突出部１５が形成されている。なお、上辺部１２には突出部１５は設けなくてもよいが、本実施態様のように上辺部１２にも突出部１５を設けることにより、上辺部１２もしくは下辺部１１のいずれを下側に使用しても同様の効果を得ることができ、好ましい。
【００１５】
包装箱用仕切り板１は、図２に示すように、下辺部１１を下側にして包装箱２内の空間を横断面で２つに仕切るように設置される。なお、本実施態様のように、上辺部１２に突出部１５が設けられている場合は、上辺部１２を下側にして設置しても良い。また、本実施態様では、包装箱用仕切り板１で仕切られた各空間には、商品３が２つずつ収納され、合計で４つの商品３が収納されるものとするが、収納される商品３の数は特に限定されない。また、図２では、仕切り板で空間が２つに仕切られているが、仕切り板を２枚以上入れて更に複数の空間に仕切っても良い。
【００１６】
図２に示すように、包装箱用仕切り板１は、包装箱２内に設置した状態で突出部１４の先端部が包装箱２の底部２１に当接している。なお、本考案の包装箱用仕切り板１を利用可能な包装箱２のタイプは特に限定されず、底ワンタッチのものや、リバースサックタイプのものなどに好適に利用することができる。
【００１７】
包装箱用仕切り板１の横幅、すなわち、左右の側辺部１３の間の長さは、包装箱２の横幅（内寸）と略同一になるように形成することが好ましい。このように、包装箱用仕切り板１の横幅を包装箱２の横幅と略同一になるように形成することで、包装箱用仕切り板１が突出部１４の一点で支えられていても左右へのガタツキを抑えることができる。
【００１８】
また、本実施態様の包装箱用仕切り板１は、突出部１４の先端部が頂角として突出し、包装箱２の底部２１に点接触するように形成されているが、後述する図４（ｆ）ないし（ｈ）のように、突出部１４の先端部に一定の幅を持たして包装箱２の底部２１と線接触するようにしてもよい。このとき、底部２１と接する突出部１４部分の幅は、包装箱用仕切り板１の横幅の５０％以下とすることが好ましく、更に３５％以下とすることが好ましい。なお、突出部１４が複数形成されている場合は、それら複数の突出部１４において、底部２１と当接する部分の幅を合計したものを包装箱用仕切り板１の横幅の５０％以下とすることが好ましく、更に３５％以下とすることが好ましい。このように、包装箱２の底部２１と当接する突出部１４部分の幅を横幅の５０％以下とすることにより、両者の間の摩擦抵抗が生じにくくなり、包装箱用仕切り板１の姿勢を直すときに突出部１４が包装箱２の底部２１に引っ掛かることを防ぐことができる。
【００１９】
図３（ａ）、（ｂ）は本考案の包装箱用仕切り板１により仕切られた包装箱２内に商品３ｂを入れる際の様子を示している。  図２（ａ）は、既に包装箱２に入れられている商品３ａに対して包装箱用仕切り板１の上部が寄り掛かった状態であり、下辺部１１が商品３ａから離れた側、本実施態様では、包装箱２の正面板２２側に位置するように斜めになっている状態を示している。
【００２０】
この状態で商品３ｂを包装箱２内へ収納しようとすると、商品３ｂの底部３１が包装箱用仕切り板１に当接する。そして、この状態でさらに商品３ｂを包装箱２内へと入れようとすると、包装箱用仕切り板１と包装箱２の正面板２２との間が商品３ｂにより押し広げられる形となり、下辺部１１側が商品３ａ側へ近接するように移動する。
【００２１】
このとき、本考案の包装箱用仕切り板１は、下辺部１１の突出部１４のみで包装箱２の底部２１と接しているため、両者の間に生じる摩擦抵抗も少なく、よって、引っ掛かることなく突出部１４は底部２１上を摺動し、直立状態に近づく。
【００２２】
そして、このまま商品３ｂを一定の深さまで包装箱２内に入れると、包装箱用仕切り板１は図３（ｂ）のように完全に直立した状態となり、これにより、商品３ｂをスムーズに包装箱２内へと収めることができる。商品３は、図３では、形状が整った容器で示してあるが、これに限らず、形状が変形する袋体に液体が入ったパウチ容器や商品を入れた袋体等をいれることができる。
【００２３】
図４（ａ）〜（ｉ）は、本考案にかかる包装箱用仕切り板１の異なる実施態様である。図４（ａ）のものは、下辺部１１に下方へ略三角形状に突出するように形成された１つの突出部１４が形成されている。また、上辺部１２は突出部を有さない平坦状に形成されている。なお、上辺部１２に突出部を形成しない場合、本実施態様のように、側辺部１３との角部分に斜めの切り欠き部１６を設けることが好ましい。このように、上辺部１２の両端に切り欠き部１６を設けることで、商品を包装箱２内に収める際に、上辺部１２の両端が商品に引っ掛かることが少なくなる。また、図２、３と垂直方向に包装箱用仕切り板１を配置した場合、蓋部２３を閉じる際に先端の差込片２４が上辺部１２の両端に引っ掛かることがなくなるため、好ましい。さらに、ノズルポンプを備えた容器を収納する場合、かかる切り欠き部１６を所定の大きさや角度に形成することでノズル部分が包装箱用仕切り板１と干渉することなく収納することができる。
【００２４】
図４（ｂ）の包装箱用仕切り板１は、下辺部１１に下方へ略三角形状に突出する１つの突出部１４を備える点で図４（ａ）と同様であるが、突出部１４の辺部を構成する下辺部１１の傾斜がより急になって、先端部が鋭角になるように形成されている。
【００２５】
図４（ｃ）の包装箱用仕切り板１は、下辺部１１に下方へ略三角形状に突出する２つの突出部１４が形成され、また、図４（ｄ）の包装箱用仕切り板１は、下辺部１１に下方へ略三角形状に突出する３つの突出部１４が、さらに、図４（ｅ）の包装箱用仕切り板１は、下辺部１１に下方へ略三角形状に突出する４つの突出部１４がそれぞれ形成されている。
【００２６】
図４（ｆ）の包装箱用仕切り板１は、下辺部１１に下方へ台形状に突出する１つの突出部１４が形成されている。また、図４（ｇ）は、下辺部１１に下方へ台形状に突出する１つの突出部１４を備える点で図４（ｆ）と同様であるが、突出部１４の台形部分の高さがより高くなるように形成されている。なお、図４（ｇ）では、包装箱２の底部２１と当接する突出部１４部分の幅が包装箱用仕切り板１の横幅の５０％になるように形成されている。
【００２７】
図４（ｈ）の包装箱用仕切り板１は、下辺部１１に下方へ台形状に突出する２つの突出部１４が形成されている。さらに、図４（ｉ）の包装箱用仕切り板１は、下辺部１１に下方へ円弧状に膨出する１つの突出部１４が形成されている。
【００２８】
以上の各実施態様のように、本考案の包装箱用仕切り板１の下辺部１１に設ける突出部１４は、突出する形状について特に限定されない。また、１つの下辺部１１に対して設ける突出部１４の数は１つに限らず、２つ以上の複数であってもよいが、１つの方が包装箱２の底部２１との間に摩擦による抵抗がより生じにくくなり、好ましい。また、突出部１４を構成する各辺部は、直線のみならず、曲線であってもよく、さらにそれらの組み合わせであってもよい。
【００２９】
下辺部１１において突出部１４を形成する位置は任意だが、包装箱２の底部２１側に位置するフラップ片などの収納時における位置などを考慮し、フラップ片の辺部に当接しない位置に設けることが好ましい。また、突出部１４の突出高さも任意に設定できるが、複数の突出部１４を有する場合は、それら複数の突出部１４の突出高さを揃えることが好ましい。
【００３０】
図４の各実施態様は、下辺部１１のみに突出部１４を形成するものであるが、図１、２のように、これに加えて上辺部１２にも突出部１５を設けても良い。その場合、突出部１４と突出部１５は上下対称になるように同じ形状、数としても良いが、互いに異なる形状、数としても構わない。例えば、図４（ａ）〜（ｉ）の実施態様の中から任意に選択した異なるパターンの突出部の組み合わせを突出部１４、突出部１５としてもよい。さらに、下辺部１１（もしくは上辺部１２）に対して複数の突出部１４（もしくは突出部１５）を設ける場合、それら複数の突出部１４（もしくは突出部１５）は互いに同じ形状の組み合わせに限らず、互いに異なる形状の組み合わせとしても良い。
【００３１】
本考案の包装箱用仕切り板１は、上述のように、上辺部１２、下辺部１１、および２つの側辺部１３を備えるものに限らず、全体を円形もしくは楕円形に形成してもよく、特に円形の場合は、辺部のいずれの部分も包装箱２の底部２１に当接する突出部となり得るため、包装箱内に設置する際に向きを気にしなくても良い。
【００３２】
本考案の包装箱用仕切り板の材質については、一般的な包装箱の中仕切りに使用される素材であれば特に限定はされないが、ある程度の剛性を備えた紙、合成樹脂などが好ましい。具体的には、和紙、上質紙、中質紙、コート紙、ボール紙、カード紙、コートボール紙、コートカード紙、アルミや合成樹脂に蒸着させたアルミ等を表面被覆した蒸着紙等の紙類や、ポリプロピレン、ポリエチレンテフレタート(ＰＥＴ)などの透明合成樹脂や不透明合成樹脂等の合成樹脂類を適宜用いることができる。
【符号の説明】
【００３３】
１  …  …  包装箱用仕切り板
２  …  …  包装箱
３、３ａ、３ｂ  …  …  商品
１１  …  …  下辺部
１２  …  …  上辺部
１３  …  …  側辺部
１４  …  …  突出部
１５  …  …  突出部
１６  …  …  切り欠き部
２１  …  …  底部
２２  …  …  正面板
２３  …  …  蓋部
２４  …  …  差込片
【図１】
0003225461.tif 000003
【図２】
0003225461.tif 000004
【図３】
0003225461.tif 000005
【図４】
0003225461.tif 000006